(57)【要約】  衣類乾燥装置および該装置を利用した衣類乾燥方法において、衣類乾燥装置は衣類を収容するドラム体（１）と、空気を乾燥、循環させる風道（２）とを含む。前記衣類乾燥装置は、さらに、吸熱部および放熱部を有し、前記吸熱部は前記風道（２）内に設置されて、前記ドラム体（１）からの空気の熱量を吸収し、前記空気の初期凝縮を行い；前記放熱部は前記風道（２）外に設置され、吸熱部からの熱量を吸収し、熱量を装置外に発散する凝縮モジュール（３）と；前記風道（２）内に設置され、冷接点（４１）および温接点（４２）を有し、前記冷接点（４１）は凝縮モジュール（３）により初期凝縮された後の空気を再度凝縮し、前記温接点（４２）は再度凝縮された後の空気を加熱する半導体モジュール（４）と、を含む。該凝縮方式は、熱伝達の原理および相転移の原理を完全に利用し、冷熱源を必要とせずに半導体モジュールと相互に組み合わせて、最適な空気の凝縮、加熱効果に達することができる。【選択図】図２
2018537232.tif 000002
【特許請求の範囲】
【請求項１】
衣類を収容するドラム体と、空気を乾燥、循環させる風道とを含む、衣類乾燥装置であって、さらに
吸熱部および放熱部を有し、前記吸熱部は前記風道内に設置されて、前記ドラム体からの空気の熱量を吸収し、前記空気の初期凝縮を行い；前記放熱部は前記風道外に設置され、前記吸熱部が吸収した熱量を前記衣類乾燥装置外に発散する凝縮モジュールと；
前記風道内に設置され、冷接点および温接点を有し、前記冷接点は凝縮モジュールにより初期凝縮された後の空気を再度凝縮し、前記温接点は再度凝縮された後の空気を加熱する半導体モジュールと；を含むことを特徴とする衣類乾燥装置。
【請求項２】
前記風道に、風道の側壁から外側に突起して形成されるチャンバが設けられ、前記半導体モジュールは該チャンバ内に設置され、冷接点はチャンバの吸入口に面し、温接点はチャンバの吹出口に面し、風道内のチャンバを通過する空気は、まず吸入口から冷接点により凝縮された後、チャンバに進入し、さらに温接点により加熱され、吹出口から次の部分の風道内に誘導されることを特徴とする、請求項１に記載の衣類乾燥装置。
【請求項３】
前記風道は水平管を有し、該水平管の側壁に下側に突起した拡大部分を有し、水平管内に横Ｄ型のチャンバが形成され、該チャンバ上部の両側はそれぞれ水平の吸入口および垂直の吹出口であり、吹出口は垂直管と通じ、半導体モジュールは吸入口および吹出口の間に設けられ、チャンバの底部に排水口が設けられることを特徴とする、請求項１または２に記載の衣類乾燥装置。
【請求項４】
前記半導体モジュールが、冷接点に垂直に取り付けられた複数層の吸熱フィンと、温接点に垂直に取り付けられた複数層の放熱フィンとをさらに含み、複数層の吸熱フィン間の隙間は吸入口に面した吸入通路を構成し、複数層の放熱フィンの隙間は吹出口に面した吹出通路を構成し、吸入口に進入した空気は吸入通路内で冷接点に遮られて下向きに方向を変えた後、チャンバに進入し、さらにチャンバの内壁により上向きに誘導され、吹出通路、吹出口から出て、Ｕ状の通風の軌道を形成することを特徴とする、請求項３に記載の衣類乾燥装置。
【請求項５】
前記凝縮モジュールは密閉チャンバを有し、前記チャンバ内に作動液が充填され、前記吸熱部は前記作動液の吸熱蒸発により前記空気を初期凝縮し、前記放熱部は前記作動液の凝縮により熱量を発散することを特徴とする、請求項１に記載の衣類乾燥装置。
【請求項６】
前記凝縮モジュールが蒸発部分および凝縮部分を有するヒートパイプを含み、前記ヒートパイプの蒸発部分および凝縮部分のいずれにも熱交換フィン群が設けられ；前記蒸発部分および熱交換フィン群が前記吸熱部を形成し、前記凝縮部分および熱交換フィン群が前記放熱部を形成することを特徴とする、請求項５に記載の衣類乾燥装置。
【請求項７】
前記ヒートパイプの凝縮部分における熱交換フィン群に軸流ファンが取り付けられ、前記軸流ファンの気流は各熱交換フィン間の隙間に対して放熱を行うことを特徴とする、請求項６に記載の衣類乾燥装置。
【請求項８】
前記凝縮モジュールが蒸発部および凝縮部を有するベイパーチャンバを含み、前記蒸発部は前記吸熱部を形成し、前記凝縮部は前記放熱部を形成することを特徴とする、請求項５に記載の衣類乾燥装置。
【請求項９】
前記風道は、順番に接続される排風管、凝縮通路、戻り管および乾燥通路を含み、前記ドラム体内の空気は排風管を経て風道に進入し、前記凝縮モジュールの吸熱部は凝縮通路内に位置し、前記半導体モジュールは戻り管内に位置し、前記乾燥通路はドラム体と接続され、その内部に空気を循環させる送風機が設けられることを特徴とする、請求項１に記載の衣類乾燥装置。
【請求項１０】
前記凝縮通路の底部に排水口が設けられることを特徴とする、請求項９に記載の衣類乾燥装置。
【請求項１１】
前記乾燥通路内に、空気を２次加熱するヒータがさらに取り付けられることを特徴とする、請求項９に記載の衣類乾燥装置。
【請求項１２】
請求項１〜１０のいずれか１項に記載の衣類乾燥装置を利用した衣類乾燥方法であって、以下の
ドラム体に衣類を乾燥させる空気を通すと、空気がドラム体内で衣類の水分を奪い、湿熱空気を形成して、前記風道内に進入する工程と；
風道内に進入した空気の熱量は凝縮モジュールの吸熱部に吸収され、凝縮モジュールの放熱部は吸収した空気の熱量を装置外に発散し、空気の初期凝縮を行う工程と；
その後、空気は半導体モジュールの冷接点により２次凝縮され、凝縮後の空気は半導体モジュールの温接点により加熱され、最終的にドラム体内に戻り、再度衣類の乾燥を行う工程と；を含むことを特徴とする方法。
【発明の詳細な説明】
【技術分野】
【０００１】
本発明は衣類乾燥の技術分野に関し、特に、半導体冷却プレートを利用した衣類乾燥装置および該装置を使用して衣類乾燥を行う衣類乾燥方法に関する。
【背景技術】
【０００２】
衣類乾燥装置（例えば衣類乾燥機、洗濯乾燥機など）は、通常、乾燥させる衣類を収容する衣類収容ドラムと、衣類収容ドラムの外部に位置し、衣類収容ドラムと通じる乾燥通路とを含み、乾燥通路を通過して衣類収容ドラム内に乾燥気流が送られる。乾燥気流が衣類収容ドラムを流れるとき、衣類収容ドラム内の衣類に残った水分が加熱されて水蒸気となり、水蒸気は空気に伴い、衣類収容ドラムから流出して乾燥通路内に進入し、乾燥通路の上流部分で凝縮される。凝縮後の相対的に乾燥した空気は、引き続き乾燥通路に沿って流動し、再度衣類収容ドラム内に進入して絶えず循環する。既存の洗濯乾燥機は、一般的に水凝縮式である。水凝縮の方式は、衣類乾燥過程で絶えず乾燥通路内に冷水を通す必要があり、同時に、できる限り節水するため、乾燥通路内に通す冷水の流量を比較的少なく制御する必要がある。したがってこの凝縮方式の凝縮効率は比較的低く、水消費量は比較的多い。空気凝縮の方式は、衣類乾燥過程で機外の室温の空気を利用して、乾燥通路内の湿熱空気と熱交換する必要がある。この方式は、管壁を介して熱量を交換する必要があるため、凝縮効率は相当低く、衣類乾燥時間が比較的長くなり、エネルギー消費が比較的高い。
【０００３】
上記問題を解決するため、中国発明特許出願番号第２０１２１０３８７８８９．４号明細書は、凝縮装置および該装置を有する衣類乾燥機を開示している。凝縮装置は半導体冷却プレートを含み、前記半導体冷却プレートの両側は、熱伝導ブロックを介して温接点放熱フィンおよび冷接点吸熱フィンとそれぞれ接続され、前記温接点放熱フィンおよび冷接点吸熱フィンの間に断熱材料が充填され、両者の間の熱伝導を断絶する。衣類乾燥機は衣類乾燥空洞と、両端が衣類乾燥空洞と通じる循環風道とを含む。前記循環風道中に上記凝縮装置が取り付けられ、前記循環風道中の空気が流れるとき、順次、凝縮装置の冷接点吸熱フィンを経過して凝縮、除湿され、さらに温接点放熱フィンを経過して加熱された後、衣類乾燥空洞に戻る。しかし、該装置は以下の不足が存在する。
まず、半導体冷却プレートは２つの機能を有し、冷却も加熱も行うことができるが、半導体冷却プレートにおける単一の冷却素子の冷却能力は普通で、複数の素子を組み合わせて凝縮の需要を満たす必要があり、このように製造コストまたはエネルギー消費が増加する。
【０００４】
他に、凝縮効果をさらに高めるため、いくつかの衣類乾燥装置は半導体モジュールの加熱機能のみを利用し、循環通路内に凝縮装置を単独で設置する。該凝縮装置は、冷熱源（例えば電気駆動など）により冷却効果を実現しなければならない。例えば、中国発明特許出願番号第２０１２１０００８３７２．Ｘ号明細書は新型の衣類乾燥機を開示しており、筐体および内ドラムを含み、さらに風道、半導体冷却プレート、凝縮器および蒸発器を含む。内ドラムは連通管アセンブリを介して風道と通じ、さらに凝縮器および蒸発器は風道中に位置する。半導体冷却プレートの温接点は、第１熱交換管を介して凝縮器と接続され、半導体冷却プレートの冷接点は、第２熱交換管を介して蒸発器と接続される。連通管アセンブリに、連通管アセンブリ、風道および内ドラム内の空気を流動させる駆動装置が設置され、風道に脱水管が連通して設置される。凝縮器を単独で設置したため、半導体冷却プレートの冷却機能を浪費しただけでなく、コストおよびエネルギー消費も増加した。
【０００５】
このことを考慮して、特に本発明を示す。
【先行技術文献】
【特許文献】
【０００６】
【特許文献１】中国発明特許出願番号第２０１２１０３８７８８９．４号明細書
【特許文献２】中国発明特許出願番号第２０１２１０００８３７２．Ｘ号明細書
【発明の概要】
【発明が解決しようとする課題】
【０００７】
本発明の第１の目的は、熱伝達の原理を利用し、冷熱源を必要とせずに半導体モジュールと相互に組み合わせて、最適な空気の凝縮、加熱効果に達することができる衣類乾燥装置を提供することである。本発明の第２の目的は、上記衣類乾燥装置を利用した衣類乾燥方法を提供することである。
【課題を解決するための手段】
【０００８】
本発明の第１の目的を実現するため、以下の技術案を採用する。衣類乾燥装置は、衣類を収容するドラム体と、空気を乾燥、循環させる風道とを含む。前記衣類乾燥装置は、さらに
吸熱部および放熱部を有し、前記吸熱部は前記風道内に設置されて、前記ドラム体からの空気の熱量を吸収し、前記空気の初期凝縮を行い；前記放熱部は前記風道外に設置され、吸熱部からの熱量を吸収し、熱量を装置外に発散する凝縮モジュールと；
前記風道内に設置され、冷接点および温接点を有し、前記冷接点は凝縮モジュールにより初期凝縮された後の空気を再度凝縮し、前記温接点は再度凝縮された後の空気を加熱する半導体モジュールと；を含む。
【０００９】
湿熱空気が風道に進入すると、凝縮モジュールは熱伝達効果を利用し、吸熱部が空気中の熱量を吸収して放熱部に伝達し、放熱部は熱量を装置外に発散し、凝縮サイクルが形成され、その他の冷熱源を必要としない。この種のサイクルは急速に行われ、熱量を絶えず伝導することができ、湿熱空気中の水蒸気を効果的に凝縮することができる。初期凝縮の後、半導体モジュールを利用して２次凝縮を行い、空気中の水蒸気の除去率を確実に保証し、衣類乾燥効率をさらに高めた。他に、半導体モジュールのペルティエ効果を利用して、凝縮後の空気を加熱し、最終的にドラム体内に戻し、再度衣類を乾燥させる。高効率で衣類を乾燥させるのと同時に、エネルギー消費を減少させる。
【００１０】
好ましくは、前記風道に、風道の側壁から外側に突起して形成されるチャンバが設けられる。前記半導体モジュールは該チャンバ内に設置され、冷接点はチャンバの吸入口に面し、温接点はチャンバの吹出口に面する。風道内のチャンバを通過する空気は、まず吸入口から冷接点により凝縮された後、チャンバに進入し、さらに温接点により加熱され、吹出口から次の部分の風道内に誘導される。
【００１１】
好ましくは、前記風道は水平管を有し、該水平管の側壁に下側に突起した拡大部分を有する。水平管内に横Ｄ型のチャンバが形成され、該チャンバ上部の両側はそれぞれ水平の吸入口および垂直の吹出口であり、吹出口は垂直管と通じる。半導体モジュールは吸入口および吹出口の間に設けられ、チャンバの底部に排水口が設けられる。
【００１２】
好ましくは、前記半導体モジュールは、冷接点に垂直に取り付けられた複数層の吸熱フィンと、温接点に垂直に取り付けられた複数層の放熱フィンとをさらに含む。複数層の吸熱フィン間の隙間は吸入口に面した吸入通路を構成し、複数層の放熱フィンの隙間は吹出口に面した吹出通路を構成する。吸入口に進入した空気は吸入通路内で冷接点に遮られて下向きに方向を変えた後、チャンバに進入し、さらにチャンバの内壁により上向きに誘導され、吹出通路、吹出口から出て、Ｕ状の通風の軌道を形成する。
【００１３】
好ましくは、前記凝縮モジュールは密閉チャンバを有し、前記チャンバ内に作動液が充填される。前記吸熱部は前記作動液の吸熱蒸発により前記空気を初期凝縮し、前記放熱部は前記作動液の凝縮により熱量を発散する。液体の蒸発吸熱、凝縮放熱という相転移の原理を完全に利用して、風道内の湿熱空気の凝縮を実現する。構造が簡単であるだけでなく、熱伝導速度が速い。
【００１４】
好ましくは、前記凝縮モジュールは蒸発部分および凝縮部分を有するヒートパイプを含み、前記ヒートパイプの蒸発部分および凝縮部分のいずれにも熱交換フィン群が設けられる。前記蒸発部分および熱交換フィン群は前記吸熱部を形成し、前記凝縮部分および熱交換フィン群は前記放熱部を形成する。
【００１５】
好ましくは、前記ヒートパイプの凝縮部分における熱交換フィン群に軸流ファンが取り付けられ、前記軸流ファンの気流は各熱交換フィン間の隙間に対して放熱を行う。放熱効率をさらに高める。
【００１６】
好ましくは、前記凝縮モジュールは蒸発部および凝縮部を有するベイパーチャンバを含み、前記蒸発部は前記吸熱部を形成し、前記凝縮部は前記放熱部を形成する。
【００１７】
好ましくは、前記風道は、順番に接続される排風管、凝縮通路、戻り管および乾燥通路を含み、前記ドラム体内の空気は排風管を経て風道に進入する。前記凝縮モジュールの吸熱部は凝縮通路内に位置し、前記半導体モジュールは戻り管内に位置する。前記乾燥通路はドラム体と接続され、その内部に空気を循環させる送風機が設けられる。
【００１８】
好ましくは、前記凝縮通路の底部に排水口が設けられる。
【００１９】
好ましくは、前記乾燥通路内に、空気を２次加熱するヒータがさらに取り付けられる。空気を２次加熱し、衣類乾燥効率をさらに高める。
【００２０】
本発明の第２の目的を実現するため、以下の技術案を採用する。
上記衣類乾燥装置を利用した衣類乾燥方法は、以下の工程を含む。
ドラム体に衣類を乾燥させる空気を通すと、空気がドラム体内で衣類の水分を奪い、湿熱空気を形成して前記風道内に進入する；
風道内に進入した空気の熱量は凝縮モジュールの吸熱部に吸収され、凝縮モジュールの放熱部は吸収した空気の熱量を装置外に発散し、空気の初期凝縮を行う；
その後、空気は半導体モジュールの冷接点により２次凝縮され、凝縮後の空気は半導体モジュールの温接点により加熱され、最終的にドラム体内に戻り、再度衣類の乾燥を行う。
【発明の効果】
【００２１】
上記技術案を採用すると、本発明は以下の有益な効果を有する。
熱伝達効果および相転移の原理を利用して凝縮サイクルを実現し、その他の冷熱源を必要としない。この種のサイクルは急速に行われ、熱量を絶えず伝導することができ、湿熱空気中の水蒸気を効果的に凝縮することができる。初期凝縮の後、半導体モジュールを利用して２次凝縮を行い、空気中の水蒸気の除去率を確実に保証し、衣類乾燥効率をさらに高めた。他に、半導体モジュールのペルティエ効果を利用して、凝縮後の空気を加熱し、最終的にドラム体内に戻し、再度衣類を乾燥させる。高効率で衣類を乾燥させるのと同時に、エネルギー消費を減少させる。
【００２２】
図は本出願の一部であり、本発明をさらに理解するために提供する。本発明の概要的な実施例およびその説明は本発明を理解するためのものであり、本発明を不当に限定しない。明らかに、以下の説明における図はいくつかの実施例に過ぎず、当業者は創造的労働を行わない前提で、これらの図に基づいてその他の図を得ることもできる。
【図面の簡単な説明】
【００２３】
【図１】図１は、本発明の実施例における衣類乾燥装置の正面図である。
【図２】図２は、本発明の実施例における衣類乾燥装置の構造概要図である。
【図３】図３は、本発明の実施例における衣類乾燥装置の側面図である。
【図４】図４は、本発明の実施例における衣類乾燥装置のヒートパイプ、凝縮通路の構造概要図である。
【図５】図５は、本発明の実施例における衣類乾燥装置のヒートパイプ構造、原理の概要図である。
【図６】図６は、本発明の実施例における衣類乾燥装置の半導体モジュールの構造概要図である。
【図７】図７は、本発明のもう１つの実施例における衣類乾燥装置のベイパーチャンバ構造、原理の概要図である。
【００２４】
これらの図および文字による説明は、どのような方式でも本発明の構想の範囲を制限することを目的とせず、特定の実施例を参考にすることにより、当業者に本発明の概念を説明するためのものであると説明する必要がある。
【発明を実施するための形態】
【００２５】
本発明の実施例の目的、技術案および利点をより明確にするため、以下、本発明の実施例の図を組み合わせて、実施例中の技術案について、明確、完全に記載する。以下の実施例は本発明を説明するものであるが、本発明の範囲を制限するものではない。
【００２６】
本発明の記載において、用語の「上」、「下」、「前」、「後」、「左」、「右」、「垂直」、「内」、「外」などの指示する方位または位置関係は、図に基づいて示した方位または位置関係であると説明する必要がある。本発明の記載および記載の簡略化を便利にするために過ぎず、指示した、もしくは暗に示した装置または素子が、特定の方位、特定の方位での構造および操作を有さなければならないわけではないため、本発明を制限すると理解することはできない。
【００２７】
本発明の記載において、他に明確な規定および限定をしていなければ、「取り付ける」、「通じる」、「接続する」の用語は広義に理解するべきであると説明する必要がある。例えば、固定して接続でも、取外し可能に接続、または一体に接続でもよく；機械的に接続でも、電気的に接続でもよく；直接通じるでも、間に介して間接的に通じるでもよい。当業者は、具体的な状況により、上記用語の本発明における具体的な内容を理解することができる。
【実施例】
【００２８】
実施例１
図１および２に示す衣類乾燥装置は、衣類を収容するドラム体１と、空気を乾燥、循環させる風道２とを含む。衣類乾燥装置は、さらに
吸熱部および放熱部を有し、吸熱部は風道２内に設置されて、ドラム体１からの空気の熱量を吸収し、空気の初期凝縮を行い：放熱部は風道２外に設置され、吸熱部からの熱量を吸収し、熱量を装置外に発散する凝縮モジュール３と；
風道２内に設置され、冷接点４１および温接点４２を有し、冷接点４１は凝縮モジュール３により初期凝縮された後の空気を再度凝縮し、温接点４２は凝縮後の空気を加熱する半導体モジュール４と；を含む。
【００２９】
湿熱空気が風道に進入すると、凝縮モジュール３は熱伝達効果を利用し、吸熱部が空気中の熱量を吸収して放熱部に伝達し、放熱部は熱量を装置外に発散し、凝縮サイクルが形成され、その他の冷熱源を必要としない。この種のサイクルは急速に行われ、熱量を絶えず伝導することができ、湿熱空気中の水蒸気を効果的に凝縮することができる。初期凝縮の後、半導体モジュール４を利用して２次凝縮を行い、空気中の水蒸気の除去率を確実に保証し、衣類乾燥効率をさらに高めた。他に、半導体モジュール４のペルティエ効果を利用して、凝縮後の空気を加熱し、最終的にドラム体内に戻し、再度衣類を乾燥させる。高効率で衣類を乾燥させるのと同時に、エネルギー消費を減少させる。
【００３０】
実施例２
本発明の実施例のさらに好ましい実施方式として、風道２に、風道の側壁から外側に突起して形成されるチャンバが設けられる。半導体モジュール４は該チャンバ内に設置され、冷接点４１はチャンバの吸入口に面し、温接点４２はチャンバの吹出口に面する。風道２内のチャンバを通過する空気は、まず吸入口から冷接点４１により凝縮された後、チャンバに進入し、さらに温接点４２により加熱され、吹出口から次の部分の風道内に誘導される。
【００３１】
図２に示すように、本発明の実施例のさらに好ましい実施方式として、風道２は水平管を有し、該水平管の側壁に下側に突起した拡大部分を有する。水平管内に横Ｄ型のチャンバ２３１が形成され、該チャンバ上部の両側は、それぞれ水平の吸入口および垂直の吹出口であり、吹出口は垂直管と通じる。半導体モジュール４は吸入口および吹出口の間に設けられ、チャンバの底部に排水口が設けられる。水平の吸入口および垂直の吹出口は、空気の順調な流動を保証することができる。
【００３２】
図２および図６に示すように、本発明の実施例のさらに好ましい実施方式として、半導体モジュール４は、冷接点に垂直に取り付けられた複数層の吸熱フィン４３と、温接点に垂直に取り付けられた複数層の放熱フィン４４とをさらに含む。複数層の吸熱フィン４３間の隙間は吸入口に面した吸入通路を構成し、複数層の放熱フィン４４の隙間は吹出口に面した吹出通路を構成する。吸入口に進入した空気は吸入通路内で冷接点４１に遮られて下向きに方向を変えた後、チャンバに進入し、さらにチャンバの内壁により上向きに誘導され、吹出通路、吹出口から出て、Ｕ状の通風の軌道を形成する。
【００３３】
実施例３
本発明の実施例のさらに好ましい実施方式として、凝縮モジュール３は密封チャンバを有し、チャンバ内に作動液が充填される。吸熱部は、作動液の吸熱蒸発により空気を初期凝縮し、放熱部は作動液の凝縮により熱量を発散する。液体の蒸発吸熱、凝縮放熱という相転移の原理を完全に利用して、風道内の湿熱空気の凝縮を実現する。構造が簡単であるだけでなく、熱伝導速度が速い。
【００３４】
図５に示すように、本発明の実施例のさらに好ましい実施方式として、凝縮モジュールは、蒸発部分５１および凝縮部分５２を有するヒートパイプ５を含み、ヒートパイプ５の蒸発部分５１および凝縮部分５２のいずれにも熱交換フィン群が設けられる。蒸発部分５１および熱交換フィン群は吸熱部を形成し、凝縮部分５２および熱交換フィン群は放熱部を形成する。
【００３５】
図５に示すように、ヒートパイプ５はコンテナ５５１、ウィック５５２からなり、パイプ内を吸引して負圧とした後、適量の作動液で満たし、パイプ内壁に密着させたウィックの毛細多孔質材料に液体を充満させた後、密封する。パイプの一端は蒸発部分５１であり、もう一端は凝縮部分５２であり、利用の需要に基づいて、２つの部分の中間に断熱部分を配置することができる。ヒートパイプ５の蒸発部分５１が加熱されると、パイプの中心の作動液は熱により蒸発して熱量を奪い、該熱量は作動液の蒸発潜熱である。蒸気は中心の通路からヒートパイプの凝縮部分５２に流れ、凝結して液体になり、同時に潜熱を放出する。毛細管現象により、液体は蒸発部分５１に戻る。このように、１つの閉サイクルが完成し、これにより大量の熱量を吸熱部から放熱部に伝達する。
【００３６】
図４に示すように、本発明の実施例のさらに好ましい実施方式として、ヒートパイプの凝縮部分５２における熱交換フィン群に軸流ファン６が取り付けられる。放熱効率をさらに高める。
【００３７】
実施例４
図１に示すように、本発明の実施例のさらに好ましい実施方式として、風道２は、順番に接続される排風管２１、凝縮通路２２、戻り管２３および乾燥通路２４を含み、ドラム体１内の空気は排風管２１を経て風道２に進入する。凝縮モジュール３の吸熱部は凝縮通路２２内に位置し、半導体モジュール４は戻り管２３内に位置する。乾燥通路２４はドラム体１と接続され、その内部に空気を循環させる送風機７が設けられる。
【００３８】
拡大部分は戻り管２３部分に設けられ、拡大部分は吸入口および吹出口を含み、吸入口は凝縮通路２２と接続され、吹出口は乾燥通路２４と接続される。半導体モジュールの吸熱フィン４３は吸入口部分の近くに設置され、放熱フィン４４は吹出口部分に設置される。空気は初期凝縮された後、拡大部分に進入し、拡大部分のＤ型のチャンバ内で再度凝縮および加熱され、吹出口から乾燥風道２４に進入する。
【００３９】
図２に示すように、本発明の実施例のさらに好ましい実施方式として、乾燥通路２４内に、空気を２次加熱するヒータ９がさらに取り付けられる。空気を２次加熱し、衣類乾燥効率をさらに高める。
【００４０】
実施例５
図７に示すように、本実施例および上記実施例の違いは次の通りである。凝縮モジュール３は蒸発部８１および凝縮部８２を有するベイパーチャンバ８を含み、蒸発部８１は凝縮モジュール３の吸熱部を形成し、凝縮部８２は凝縮モジュール３の放熱部を形成する。
【００４１】
ベイパーチャンバ８の動作原理はヒートパイプと同じであり、伝導、蒸発、対流、凝固の４つの主要工程を含んでいる。ベイパーチャンバ８は、純水を微細構造の容器に充満させて形成される二相流体装置である。熱は外部の高温領域から熱伝導によりチャンバ内に進入し、熱源に近い周囲の水は急速に熱量を吸収し、気化して蒸気となり、大量の熱エネルギーを奪う。さらに水蒸気の潜熱の性質を利用し、チャンバ内の蒸気が高圧領域から低圧領域に拡散し、温度が比較的低い内壁に蒸気が接触すると、水蒸気は急速に凝結して液体となり、熱エネルギーを放出する。凝結した水は微細構造の毛細管現象により熱源点に戻り、１つの熱伝導サイクルが完成し、水および水蒸気が共存する１つの二相循環システムが形成される。ベイパーチャンバ内の水の気化は持続的に行われ、温度の変化に伴って、チャンバ内の圧力は平衡を維持する。水の低温動作時における熱伝導係数値は比較的低いが、水の粘稠性は温度の違いにより変化するため、ベイパーチャンバは５℃または１０℃のときも動作することができる。液体の還流は毛細管現象によるため、ベイパーチャンバが受ける重力の影響は比較的小さく、システムを利用する設計空間において、どの角度でも可能である。ベイパーチャンバは電源を必要とせず、どのような移動モジュールも必要とせず、完全に密封された受動装置である。
【００４２】
実施例６
上記実施例の衣類乾燥装置を利用した衣類乾燥方法は、以下の工程を含む。
ドラム体１に衣類を乾燥させる空気を通すと、空気がドラム体１内で衣類の水分を奪い、湿熱空気を形成して風道２内に進入する；
風道２内に進入した空気の熱量は凝縮モジュール３の吸熱部に吸収され、凝縮モジュール３の放熱部は吸収した空気の熱量を装置外に発散し、空気の初期凝縮を行う；
その後、初期凝縮された後の空気は半導体モジュール４の冷接点４１により２次凝縮され、凝縮後の空気は半導体モジュールの温接点４２により加熱され、最終的にドラム体１内に戻り、再度衣類の乾燥を行う。
【００４３】
上記実施例中の実施案はさらに組み合わせるか、または置換することができ、さらに実施例は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４４】
１  ドラム体
２  風道
２１  排風管
２２  凝縮通路
２３  戻り管
２３１  Ｄ型のチャンバ
２４  乾燥通路
３  凝縮モジュール
４  半導体モジュール
４１  冷接点
４２  温接点
４３  吸熱フィン
４４  放熱フィン
５  ヒートパイプ
５５１  コンテナ
５５２  ウィック
５１  蒸発部分
５２  凝縮部分
６  軸流ファン
７  送風機
８  ベイパーチャンバ
８１  蒸発部
８２  凝縮部
９  ヒータ
【図１】
2018537232.tif 000003
【図２】
2018537232.tif 000004
【図３】
2018537232.tif 000005
【図４】
2018537232.tif 000006
【図５】
2018537232.tif 000007
【図６】
2018537232.tif 000008
【図７】
2018537232.tif 000009
【国際調査報告】
2018537232.tif 000010
2018537232.tif 000011
2018537232.tif 000012
2018537232.tif 000013